(57)【特許請求の範囲】
【請求項１】
出力媒体の両面に少なくとも１つのコンテンツ画像をそれぞれ面付けする画像編集装置であって、
前記両面のうち第１面上に配置された第１コンテンツ画像群に、第２面上に配置された第２コンテンツ画像群を透かした状態で重ねて可視化する透かし画像を作成する透かし画像作成部と、
前記透かし画像作成部により作成された前記透かし画像を表示する表示部と、
前記表示部に表示された前記透かし画像上の位置又はマークを、ユーザ・インターフェースを介して指定することで、前記第１コンテンツ画像群及び前記第２コンテンツ画像群のうちいずれか一方の移動を指示する画像移動指示部と、
前記画像移動指示部による前記移動の指示に応じて該移動の前後にわたる相対移動量を算出する移動量算出部と、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部と、
前記ユーザ・インターフェースを介して前記透かし画像の表示倍率の設定を指示する表示形態指示部と
を有し、
前記画像作成部は、前記画像移動指示部による前記移動の指示に追従して、前記第１コンテンツ画像群と前記第２コンテンツ画像群との相対位置を変更した前記透かし画像を作成し、
前記表示部は、前記表示形態指示部による前記設定の指示に応じて、前記表示倍率に合わせて拡大又は縮小した前記透かし画像を表示する
ことを特徴とする画像編集装置。
【請求項２】
請求項１に記載の画像編集装置において、
前記配置変更部は、所定の指示に応じて、前記第１コンテンツ画像群及び前記第２コンテンツ画像群の配置位置の変更を禁止又はその解除をすることを特徴とする画像編集装置。
【請求項３】
請求項１又は２に記載の画像編集装置において、
前記表示形態指示部は、更に、前記透かし画像のうち前記第２コンテンツ画像群の透過率を指示することを特徴とする画像編集装置。
【請求項４】
請求項１〜３のいずれか１項に記載の画像編集装置において、
前記画像移動指示部は、前記第１コンテンツ画像群及び第２コンテンツ画像群に共通して含まれる位置合わせ用マークを指定することで前記移動を指示することを特徴とする画像編集装置。
【請求項５】
請求項４記載の画像編集装置において、
前記画像移動指示部は、各前記位置合わせ用マーク間の距離が所定範囲内である場合、該位置合わせ用マークが重なるように前記移動を指示することを特徴とする画像編集装置。
【請求項６】
請求項１〜５のいずれか１項に記載の画像編集装置において、
前記配置変更部は、前記第１コンテンツ画像群又は第２コンテンツ画像群のうち、全部のコンテンツ画像、折り丁毎のコンテンツ画像、及びページ毎のコンテンツ画像のうちいずれかの配置位置を変更することを特徴とする画像編集装置。
【請求項７】
出力媒体の両面に少なくとも１つのコンテンツ画像をそれぞれ面付けする画像編集装置を用いた画像編集方法であって、
前記両面のうち第１面上に配置された第１コンテンツ画像群に、第２面上に配置された第２コンテンツ画像群を透かした状態で重ねて可視化する透かし画像を作成する作成ステップと、
作成された前記透かし画像を表示装置に表示する表示ステップと、
前記表示装置に表示された前記透かし画像上の位置又はマークを、ユーザ・インターフェースを介して指定することで、前記第１コンテンツ画像群及び前記第２コンテンツ画像群のうちいずれか一方の移動を指示する移動指示ステップと、
前記移動の指示に応じて該移動の前後にわたる相対移動量を算出する算出ステップと、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、算出された前記相対移動量だけ変更する変更ステップと、
前記ユーザ・インターフェースを介して前記透かし画像の表示倍率の設定を指示する形態指示ステップと
を備え、
前記作成ステップでは、前記移動の指示に追従して、前記第１コンテンツ画像群と前記第２コンテンツ画像群との相対位置を変更した前記透かし画像を作成し、
前記表示ステップでは、前記設定の指示に応じて、前記表示倍率に合わせて拡大又は縮小した前記透かし画像を表示する
ことを特徴とする画像編集方法。
【請求項８】
出力媒体の両面に少なくとも１つのコンテンツ画像をそれぞれ面付けするための画像編集プログラムであって、
コンピュータを、
前記両面のうち第１面上に配置された第１コンテンツ画像群に、第２面上に配置された第２コンテンツ画像群を透かした状態で重ねて可視化する透かし画像を作成する透かし画像作成部、
表示装置に表示させた前記透かし画像上の位置又はマークを、ユーザ・インターフェースを介して指定することで、前記第１コンテンツ画像群及び前記第２コンテンツ画像群のうちいずれか一方の移動を指示する画像移動指示部、
前記画像移動指示部による前記移動の指示に応じて該移動の前後にわたる相対移動量を算出する移動量算出部、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部、
前記ユーザ・インターフェースを介して前記透かし画像の表示倍率の設定を指示する表示形態指示部と
として機能させ、
前記画像作成部は、前記画像移動指示部による前記移動の指示に追従して、前記第１コンテンツ画像群と前記第２コンテンツ画像群との相対位置を変更した前記透かし画像を作成し、
前記表示形態指示部による前記設定の指示に応じて、前記表示倍率に合わせて拡大又は縮小した前記透かし画像を前記表示装置に表示させる
ことを特徴とする画像編集プログラム。
【発明の詳細な説明】
【技術分野】
【０００１】
本発明は、出力媒体の両面に複数のコンテンツ画像をそれぞれ面付けする画像編集装置、方法及びプログラムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。例えば、両面印刷におけるコンテンツ画像の位置調整に関する技術が種々提案されている。
【０００３】
特許文献１では、変更された一面のコンテンツ画像の配置に応じて、これに対応する他方のコンテンツ画像の配置をそれらの相対位置を保つように調整するシステム及び方法が提案されている。
【先行技術文献】
【特許文献】
【０００４】
【特許文献１】特開２００５−１２２３００号公報
【発明の概要】
【発明が解決しようとする課題】
【０００５】
ところで、印刷業者の種々の事情によって、両面印刷であっても各面の面付けデータを独立して作成・保存しなければならない場合がある。
【０００６】
しかしながら、特許文献１で提案された調整方法は、両面の対応関係が既知であることを前提としており、上記した事情の下では何ら功を奏しない。
【０００７】
本発明は上記した問題を解決するためになされたもので、出力媒体の両面にそれぞれ面付けされたコンテンツ画像の配置位置を簡便に調整可能な画像編集装置、方法及びプログラムを提供することを目的とする。
【課題を解決するための手段】
【０００８】
本発明に係る画像編集装置は、出力媒体の両面に少なくとも１つのコンテンツ画像をそれぞれ面付けする装置であって、前記両面のうち第１面上に配置された第１コンテンツ画像群に、第２面上に配置された第２コンテンツ画像群を透かした状態で重ねて可視化する透かし画像を作成する透かし画像作成部と、前記透かし画像作成部により作成された前記透かし画像を表示する表示部と、前記表示部に表示された前記透かし画像上の位置又はマークを、ユーザ・インターフェースを介して指定することで、前記第１コンテンツ画像群及び前記第２コンテンツ画像群のうちいずれか一方の移動を指示する画像移動指示部と、前記画像移動指示部による前記移動の指示に応じて該移動の前後にわたる相対移動量を算出する移動量算出部と、前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部とを有する。
【０００９】
このように、出力媒体の両面のうち第１面上に配置された第１コンテンツ画像群に、第２面上に配置された第２コンテンツ画像群を透かした状態で重ねて可視化する透かし画像を作成する透かし画像作成部と、表示された前記透かし画像上の位置又はマークを、ユーザ・インターフェースを介して指定することで、前記第１コンテンツ画像群及び前記第２コンテンツ画像群のうちいずれか一方の移動を指示する画像移動指示部とを設けたので、作業者は、透かし画像上での各コンテンツ画像の相対的な位置関係を視認しながら、第１又は第２コンテンツ画像群の移動を指示できる。これにより、出力媒体の両面にそれぞれ面付けされたコンテンツ画像の配置位置を簡便に調整できる。
【００１０】
また、前記透かし画像作成部は、前記画像移動指示部による前記移動の指示に追従して、前記第１コンテンツ画像群と前記第２コンテンツ画像群との相対位置を変更した前記透かし画像を作成することが好ましい。
【００１１】
さらに、前記透かし画像の表示形態を指示する表示形態指示部をさらに有することが好ましい。
【００１２】
さらに、前記表示形態指示部は、前記透かし画像の表示倍率を指示することが好ましい。
【００１３】
さらに、前記表示形態指示部は、前記透かし画像のうち前記第２コンテンツ画像群の透過率を指示することが好ましい。
【００１４】
さらに、前記配置変更部は、所定の指示に応じて、前記第１コンテンツ画像群及び前記第２コンテンツ画像群の配置位置の変更を禁止又はその解除をすることが好ましい。
【００１５】
さらに、前記画像移動指示部は、前記第１コンテンツ画像群及び第２コンテンツ画像群に共通して含まれる位置合わせ用マークを指定することで前記移動を指示することが好ましい。
【００１６】
さらに、前記画像移動指示部は、各前記位置合わせ用マーク間の距離が所定範囲内である場合、該位置合わせ用マークが重なるように前記移動を指示することが好ましい。
【００１７】
さらに、前記配置変更部は、前記第１コンテンツ画像群又は第２コンテンツ画像群のうち、全部のコンテンツ画像、折り丁毎のコンテンツ画像、及びページ毎のコンテンツ画像のうちいずれかの配置位置を変更することが好ましい。
【００１８】
本発明に係る画像編集方法は、出力媒体の両面に少なくとも１つのコンテンツ画像をそれぞれ面付けする画像編集装置を用いた方法であって、前記両面のうち第１面上に配置された第１コンテンツ画像群に、第２面上に配置された第２コンテンツ画像群を透かした状態で重ねて可視化する透かし画像を作成するステップと、作成された前記透かし画像を表示装置に表示するステップと、前記表示装置に表示された前記透かし画像上の位置又はマークを、ユーザ・インターフェースを介して指定することで、前記第１コンテンツ画像群及び前記第２コンテンツ画像群のうちいずれか一方の移動を指示するステップと、前記移動の指示に応じて該移動の前後にわたる相対移動量を算出するステップと、前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、算出された前記相対移動量だけ変更するステップとを備える。
【００１９】
本発明に係るプログラムは、出力媒体の両面に少なくとも１つのコンテンツ画像をそれぞれ面付けするためのプログラムであって、コンピュータを、前記両面のうち第１面上に配置された第１コンテンツ画像群に、第２面上に配置された第２コンテンツ画像群を透かした状態で重ねて可視化する透かし画像を作成する透かし画像作成部、表示装置に表示させた前記透かし画像上の位置又はマークを、ユーザ・インターフェースを介して指定することで、前記第１コンテンツ画像群及び前記第２コンテンツ画像群のうちいずれか一方の移動を指示する画像移動指示部、前記画像移動指示部による前記移動の指示に応じて該移動の前後にわたる相対移動量を算出する移動量算出部、前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部として機能させる。
【発明の効果】
【００２０】
本発明に係る画像編集装置、方法及びプログラムによれば、出力媒体の両面のうち第１面上に配置された第１コンテンツ画像群に、第２面上に配置された第２コンテンツ画像群を透かした状態で重ねて可視化する透かし画像を作成する透かし画像作成部と、表示された前記透かし画像上の位置又はマークを、ユーザ・インターフェースを介して指定することで、前記第１コンテンツ画像群及び前記第２コンテンツ画像群のうちいずれか一方の移動を指示する画像移動指示部とを設けたので、作業者は、透かし画像上での各コンテンツ画像の相対的な位置関係を視認しながら、第１又は第２コンテンツ画像群の移動を指示できる。これにより、出力媒体の両面にそれぞれ面付けされたコンテンツ画像の配置位置を簡便に調整できる。
【図面の簡単な説明】
【００２１】
【図１】本実施の形態に係る画像編集装置としてのＤＴＰ装置を組み込んだ印刷物生産システムの概略構成図である。
【図２】図１に示すＲＩＰ装置の電気的なブロック図である。
【図３】図１及び図２に示すＲＩＰ装置の動作説明に供されるフローチャートである。
【図４】図４Ａは、図１に示す印刷物を第１面側から視た概略正面図である。図４Ｂは、図１に示す印刷物を第２面側から視た概略正面図である。
【図５】設定画面の一例を示す第１画像図である。
【図６】設定画面の一例を示す第２画像図である。
【図７】設定画面の一例を示す第３画像図である。
【図８】図８Ａ及び図８Ｂは、コンテンツ画像の配置位置の変更方法を示す概略説明図である。
【発明を実施するための形態】
【００２２】
以下、本発明に係る画像編集方法について、これを実施する画像編集装置、プログラム及び印刷物生産システムとの関係において好適な実施形態を挙げ、添付の図面を参照して説明する。
【００２３】
図１は、本実施の形態に係る画像編集装置としてのＲＩＰ装置２０を組み込んだ印刷物生産システム１０の概略構成図である。
【００２４】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ端末１８と、ＤＴＰ端末１８により作成された校正データ（又は製版データ）に基づいてラスタライズ処理や色変換処理等の各画像処理を実行するＲＩＰ装置２０（画像編集装置）と、ＲＩＰ装置２０から送信された処理済みの校正データに基づいてプルーフ２２を印刷可能である校正機２４と、ＲＩＰ装置２０から送信された製版データに基づいて刷版２６、２７を作製するプレートセッタ２８と、刷版２６、２７を装着して印刷物３０を印刷可能であるオフセット印刷機３２とがそれぞれ設けられている。
【００２５】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３４を介して、ＤＴＰ端末１８、ＲＩＰ装置２０及びプレートセッタ２８に通信可能に接続されている。
【００２６】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。
【００２７】
ＤＴＰ端末１８は、文字、図形、絵柄や写真等から構成されるコンテンツデータに対してプリフライト処理を施した後、ページ単位の編集データを作成する。また、ＤＴＰ端末１８は、ジョブチケットのタグ情報を参照しながら、指定された綴じ方法や紙折り方法に応じた面付け処理を実行してもよい。
【００２８】
ＲＩＰ装置２０は、少なくとも１種の印刷機に対する印刷処理サーバとして機能するコンピュータである。図１例では、ＲＩＰ装置２０は、校正機２４と、プレートセッタ２８とに通信可能に接続されている。この場合、ＲＩＰ装置２０は、ページ記述言語で記述されたＰＤＬ形式のデータ（以下、ページ記述データともいう）を各出力デバイスに適した印刷用データに変換し、該印刷用データを校正機２４又はプレートセッタ２８に供給する。
【００２９】
校正機２４は、ＲＩＰ装置２０から供給された印刷用データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００３０】
オフセット印刷機３２は、刷版２６、２７及び図示しない中間転写体を介して、インキを出力媒体３５（被印刷体）上の各主面にそれぞれ付着させることで、カラー画像が両面に形成された印刷物３０を出力する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。
【００３１】
図２は、図１に示すＲＩＰ装置２０の電気的なブロック図である。ＲＩＰ装置２０は、制御部３６と、通信Ｉ／Ｆ３８と、表示制御部４０と、表示部４２と、入力部４４と、印刷Ｉ／Ｆ４６と、メモリ４８（記憶媒体）とを備える。
【００３２】
通信Ｉ／Ｆ３８は、外部装置からの電気信号を送受信するインターフェースである。例えば、サーバ装置１６（図１参照）内で管理・保存された校正データ、製版データ、ＩＣＣプロファイル等の各種情報を取得可能である。
【００３３】
表示制御部４０は、制御部３６の制御に従って、表示部４２を駆動制御する制御回路である。表示制御部４０が、図示しないＩ／Ｆを介して、表示制御信号を表示部４２に出力することで、表示部４２が駆動する。これにより、表示部４２は、ウィンドウＷ（図５〜図７参照）を含む各種画像を表示することができる。
【００３４】
印刷Ｉ／Ｆ４６は、印刷用データとしての電気信号を送信するインターフェースである。これにより、校正機２４は、所望のプルーフ２２を印刷することができる。
【００３５】
メモリ４８は、制御部３６が各構成要素を制御するのに必要なプログラム及びデータ等を記憶している。メモリ４８は、不揮発性のメモリ、ハードディスク等の記憶媒体であってよい。
【００３６】
制御部３６は、ＣＰＵ（Central Processing Unit）等のプロセッサによって構成されている。制御部３６は、メモリ４８に格納されたプログラムを読み出し実行することで、面付け処理部５０、表示用データ作成部５２、及びラスタライズ処理部５４の各機能を実現可能である。
【００３７】
面付け処理部５０は、所定サイズの出力媒体３５の両面に１つ又は複数のコンテンツ画像をそれぞれ面付けするための面付けデータ（例えば、ジョブチケット）を作成する。具体的には、面付け処理部５０は、第１面８０上に配置する第１コンテンツ画像群Ｃｇ１（図４Ａ参照）及び第２面９０上に配置する第２コンテンツ画像群Ｃｇ２（図４Ｂ参照）の位置をそれぞれ決定する画像配置部５６と、第１コンテンツ画像群Ｃｇ１等の移動の前後にわたる相対移動量を算出する移動量算出部５８と、画像配置部５６により決定された配置位置を変更する配置変更部６０とを備える。
【００３８】
表示用データ作成部５２は、設定画面１００（図５等参照）を作成する画面作成部６２と、第１コンテンツ画像群Ｃｇ１に第２コンテンツ画像群Ｃｇ２を透かした状態で重ねて可視化する画像（以下、透かし画像という）を作成する透かし画像作成部６４とを備える。
【００３９】
ラスタライズ処理部５４は、面付け済みのページ記述データに対してラスタライズ処理を実行する。このラスタライズ処理には、ＰＤＬ形式からラスタ形式に変換するデータ形式変換処理と、ＩＣＣプロファイルを用いたカラーマッチング処理とが含まれる。
【００４０】
入力部４４は、マウス、トラックボール、キーボード等の種々の入力デバイスで構成される。表示部４２による表示機能及び入力部４４による入力機能を組み合わせることでユーザ・インターフェースを実現する。この場合、入力部４４は、透かし画像１１０（図５参照）上の第２コンテンツ群Ｃｇ２等の移動を指示する画像移動指示部６６と、透かし画像１１０の表示形態を指示する表示形態指示部６８として機能する。
【００４１】
本実施の形態に係る画像編集装置としてのＲＩＰ装置２０は、以上のように構成される。続いて、ＲＩＰ装置２０の動作について図３のフローチャートを参照しながら詳細に説明する。
【００４２】
ステップＳ１において、面付け処理部５０は、ジョブチケットのタグ情報（例えば、制作物の種別）を参照しながら、出力媒体３５の第１面８０上での面付け処理を実行する。具体的には、画像配置部５６は、第１面８０上に予め指定された所定領域内の位置に、ページ画像、位置合わせマーク等を含む２以上のコンテンツ画像をそれぞれ配置する。この面付け処理により生産される予定の印刷物３０（又はプルーフ２２）の一例について、図４Ａを参照しながら説明する。
【００４３】
図４Ａに示すように、出力媒体３５の第１面８０上に、８ページ分の台割りを表す版面８２と、印刷の際に見当を合わせる目印としての４つの角トンボ８４ａ〜８４ｄと、４つの折りトンボ８６ａ〜８６ｄとがそれぞれ形成されている。以下、第１面８０上に配置された各コンテンツ画像の集合体を、第１コンテンツ画像群Ｃｇ１という。
【００４４】
ステップＳ２において、ジョブチケットのタグ情報を参照しながら、出力媒体３５の第２面９０上での面付け処理を実行する。この面付け処理により生産される予定の印刷物３０（又はプルーフ２２）の一例について、図４Ｂを参照しながら説明する。
【００４５】
図４Ｂに示すように、出力媒体３５の第２面９０上に、８ページ分の台割りを表す版面９２と、印刷の際に見当を合わせる目印としての４つの角トンボ９４ａ〜９４ｄと、４つの折りトンボ９６ａ〜９６ｄとがそれぞれ形成されている。以下、第２面９０上に配置された各コンテンツ画像の集合体を、第２コンテンツ画像群Ｃｇ２という。
【００４６】
このようにステップＳ１及びＳ２において、面付け処理部５０は、指定された綴じ方法や紙折り方法に応じた面付けデータを作成する。なお、この面付けデータには、第１コンテンツ画像群Ｃｇ１、第２コンテンツ画像群Ｃｇ２における各コンテンツ画像の配置位置に関する情報が含まれる。
【００４７】
通常の両面印刷の際、各面の面付けデータを一括して管理するため、コンテンツ画像の配置位置がずれることはない。しかし、印刷業者の種々の事情によって、各面の面付けデータを独立して作成・保存する場合がある。このとき、両面に配置されたコンテンツ画像の配置が適切であるか否かを確認した上で、必要に応じて配置位置を調整する必要がある。
【００４８】
ステップＳ３において、ＲＩＰ装置２０は、ステップＳ１及びＳ２で面付けされた配置形態を模擬する透かし画像１１０（図５参照）を表示部４２に表示させる。表示に先立ち、透かし画像作成部６４は、面付け処理部５０で作成された面付けデータを参照しながら透かし画像１１０を作成する。そして、画面作成部６２は、設定画面１００（同図参照）の表示用データを作成した後、該表示用データを表示制御部４０に供給する。そして、表示制御部４０は、ウィンドウＷ（設定画面１００を含む）を表示部４２に表示させる。
【００４９】
図５に示すように、設定画面１００上には、表示設定欄１０２、画像表示欄１０４、及びボタン群１０６がそれぞれ配置されている。ここで、表示設定欄１０２は、透かし画像１１０の表示形態を指示する表示形態指示部６８（図２参照）としての機能を担う。
【００５０】
画像表示欄１０４には、印刷物３０上の面付け形態を模擬する透かし画像１１０が配置されている。透かし画像１１０は、第１面８０上の第１コンテンツ画像群Ｃｇ１（図４Ａ参照）に、第２面９０上の第２コンテンツ画像群Ｃｇ２（図４Ｂ参照）を透かした状態で重ねた画像である。すなわち、透かし画像１１０は、非透過性の画像が配された非透過画像領域１１１と、透過性の画像が配された透過画像領域１１２とを重畳することで形成されている。
【００５１】
表示設定欄１０２内には、各種のユーザ・コントロール、具体的には、ラジオボタン１１４ａ、１１４ｂ、スピンボックス１１６、スライドバー１１８、ラジオボタン１２０ａ、１２０ｂ、ラジオボタン１２２ａ、１２２ｂがそれぞれ配置されている。
【００５２】
ユーザとしての作業者は、ラジオボタン１１４ａ、１１４ｂを介して、印刷物３０の視認方向を択一的に指定できる。本図例では、「おもて」（ラジオボタン１１４ａ）が選択されているので、透かし画像１１０は、第１面８０側から視認した画像形態を示す。この場合、透かし画像作成部６４は、非透過画像領域１１１に第１コンテンツ画像群Ｃｇ１を配置し、透過画像領域１１２に第２コンテンツ画像群Ｃｇ２を配置した透かし画像１１０を作成する。
【００５３】
スピンボックス１１６を介して画像倍率（表示倍率）を変更することで、画像表示欄１０４の領域内において透かし画像１１０を拡大又は縮小して表示できる。また、スライドバー１１８を介して透過率を変更することで、透かし画像１１０上での第２コンテンツ画像群Ｃｇ２（透過画像領域１１２）の透過率を変更して表示できる。
【００５４】
ボタン群１０６は、［ＯＫ］と表記されたボタン１２４、［キャンセル］と表記されたボタン１２５、及び［解除］と表記されたボタン１２６で構成される。ここで、［解除］ボタン１２６及び表示設定欄１０２は、透かし画像１１０上の第２コンテンツ画像群Ｃｇ２の移動を指示する画像移動指示部６６（図２参照）としての機能を担う。
【００５５】
ステップＳ４において、作業者は、ステップＳ１及びＳ２で既に配置されたコンテンツ画像の位置調整が必要かどうかを判断する。作業者は、透かし画像１１０（図５参照）の描画形態を確認し、非透過画像領域１１１及び透過画像領域１１２の中に共通して存在するオブジェクト（例えば、角トンボ）の位置が一致するか否かで判断する。
【００５６】
ところが、印刷物３０に要求される両面位置精度は極めて高く、図５例に示す透かし画像１１０を観察したとしても、要否の判断及び調整量を特定することが困難である。この場合、作業者は、表示設定欄１０２を介した所定の操作を行うことで、透かし画像１１０の表示形態を種々変えることができる。
【００５７】
例えば、スピンボックス１１６の入力値の変更に応じて、表示制御部４０は、図５の透かし画像１１０に代替して、これと異なる形態の透かし画像１１０を表示部４２に表示させる。表示に先立ち、透かし画像作成部６４は、画像倍率の変更を反映した透かし画像１１０を新たに作成する。そして、画面作成部６２は、画像の一部を差し替えた設定画面１００の表示データを作成した後、該表示データを表示制御部４０に供給する。
【００５８】
図６に示すように、画像倍率が８倍（８００％）である透かし画像１１０が画像表示欄１０４内に表示される。非透過画像領域１１１ｅの略中央部には、角トンボ８４ａ（図４Ａ参照）に対応する非透過角トンボ１３１（実線で図示）が配置されている。また、透過画像領域１１２ｅの右下部には、角トンボ９４ａ（図４Ｂ参照）に対応する透過角トンボ１３２（破線で図示）が配置されている。このように、透かし画像１１０を拡大表示することで両面位置ずれを強調して可視化できる。
【００５９】
また、ラジオボタン１１４ｂを選択することで透過／非透過表示を反転させてもよいし、スライドバー１１８をスライドすることで透過画像領域１１２ｅの透過率を変更させてもよい。このようにして、透かし画像１１０の表示形態を適宜変更した上で、コンテンツ画像の位置調整が必要であると判別された場合（ステップＳ４：ＹＥＳ）、次のステップ（Ｓ５）に進む。
【００６０】
ステップＳ５において、画像移動指示部６６は、ユーザ・インターフェースを介して、透かし画像１１０上の位置又はマークを指定することで、コンテンツ画像群（例えば、第２コンテンツ画像群Ｃｇ２）の移動を指示する。図５及び図６の関係において、非透過画像領域１１１及び透過画像領域１１２が一体であるとして、透かし画像１１０の表示形態が変化している。以下、この表示状態を「ロック」状態と称する。
【００６１】
ここで、作業者は、設定画面１００（図６参照）上の［解除］ボタン１２６をクリックすると、上記したロックが解除されるとともに、［解除］ボタン１２６に代替して［ロック］ボタン１２７が配置されるようになる。なお、作業者は、設定画面１００（図６及び図７参照）上の［ロック］ボタン１２７をクリックすると、「ロック」状態に戻るとともに、［ロック］ボタン１２７に代替して［解除］ボタン１２６（図５参照）が配置されるようになる。
【００６２】
ロックが解除された状態では、非透過画像領域１１１を固定したまま透過画像領域１１２を平行移動できる。以下、非透過角トンボ１３１を基準として透過角トンボ１３２を合わせる具体例について、図６及び図７を参照しながら詳細に説明する。
【００６３】
図６に示すように、作業者は、透かし画像１１０上のいずれかの位置、例えば、角トンボを構成する２つのＬ字の交点にカーソル１３４を合わせた後、始点１３６から終点１３８まで矢印Ｍに沿ったドラッグ操作を実行する。そうすると、透かし画像作成部６４は、透過画像領域１１２ｅの移動を反映した透かし画像１１０を新たに作成する。換言すれば、透かし画像作成部６４は、画像移動指示部６６による移動の指示に追従して、第１コンテンツ画像群Ｃｇ１と第２コンテンツ画像群Ｃｇ２との相対位置を変更した透かし画像を作成する。
【００６４】
その結果、図７に示すように、非透過画像領域１１１ｅ及び透過画像領域１１２ｓの相対位置が変化した透かし画像１１０が、画像表示欄１０４内に表示される。図７の透かし画像１１０では、非透過角トンボ１３１の交点と透過角トンボ１３２の交点とが重なり、終点１３８で一致している。作業者は、非透過角トンボ１３１及び透過角トンボ１３２の位置が完全に重なることを確認した後、［ＯＫ］ボタン１２４をクリックする。
【００６５】
なお、本実施の形態では、角トンボ８４ａ（９４ａ）を位置合わせ用マークとして利用したが、第１コンテンツ群Ｃｇ１及び第２コンテンツ群Ｃｇ２に共通して含まれるマークであれば種類は問わない。
【００６６】
また、図６に示した通り、ラジオボタン１２０ａが選択された場合、カーソル１３４を用いて始点１３６、終点１３８の位置をそれぞれ指定することで、透過画像領域１１２ｅの移動を指示可能である。一方、ラジオボタン１２０ｂが選択された場合、所定領域をそれぞれ枠で指定することで、マーク単位で透過画像領域１１２ｅの移動を指示可能である。
【００６７】
さらに、画像移動指示部６６は、角トンボ８４ａ、９４ａ間の距離が所定範囲（例えば、１ｍｍ）内である場合、角トンボ８４ａ、９４ａが重なるように自動的に移動を指示してもよい。このようなマニュアル調整の補助機能を設けることで、作業者にとって便宜である。
【００６８】
ステップＳ６において、移動量算出部５８は、ステップＳ５での移動指示に応じてこの移動の前後にわたる相対移動量を算出する。具体的には、移動量算出部５８は、始点１３６から終点１３８までを結ぶ矢印Ｍのベクトル量に、透かし画像１１０の画像倍率を除算することで、第２面９０（図４Ｂ参照）を表す画像領域１４０（図８Ａ参照）での相対移動量を算出する。なお、第１面８０及び第２面９０の座標系において、左右方向の座標向きが反転する点に留意する。
【００６９】
ステップＳ７において、配置変更部６０は、ステップＳ６で算出された相対移動量に応じて、第１コンテンツ画像群Ｃｇ１又は第２コンテンツ画像群Ｃｇ２のうち少なくとも１つのコンテンツ画像の配置を変更する。ここでは、角トンボ９４ａと、版面９２内にある一部のページ領域を同時に移動させる場合を例に説明する。
【００７０】
図８Ａに示すように、矩形状の画像領域１４０は、第２面９０の形状に略相似する。画像領域１４０の左上側頂点を原点、長辺方向をＸ軸、短辺方向をＹ軸としてそれぞれ定義する。画像領域１４０内には、マーク画像１５０、４つのページ画像１５１、１５２、１５３、１５４、及びマーク画像１５５がそれぞれ配置されている。そして、マーク画像１５０、ページ画像１５１〜１５４、マーク画像１５５の位置を特定する代表点をそれぞれＰ１、Ｐ２、Ｐ３、Ｐ４、Ｐ５とする。
【００７１】
配置変更部６０は、各代表点の座標に対して相対移動量（ベクトル↑ｍ）を加算することで、移動対象であるコンテンツ画像の配置位置をそれぞれ変更する。図８Ｂに示すように、５つの代表点Ｐ１〜Ｐ５に対してベクトル↑ｍを加算することで、変更後の代表点Ｐｓ１〜Ｐｓ５がそれぞれ得られる。なお、図５例によればベクトル↑ｍの量は極めて微小であるが、説明の便宜のため誇張して図示している。
【００７２】
本図例では、第２コンテンツ画像群Ｃｇ２に属するコンテンツ画像の配置位置を変更しているが、第１コンテンツ画像群Ｃｇ１であってもよい。また、配置変更部６０は、第１面８０（又は第２面９０）上に配置された、全部のコンテンツ画像、折り丁毎のコンテンツ画像、及びページ毎のコンテンツ画像のうちいずれかの配置位置を変更させてもよい。
【００７３】
さらに、配置変更部６０は、所定の指示（例えば、面付けデータに組み込まれたフラグの状態値）に応じて、第１コンテンツ画像群Ｃｇ１及び第２コンテンツ画像群Ｃｇ２の配置位置の変更を禁止又はその解除をしてもよい。これにより、作業者が、位置調整が既に完了した面付けデータの内容を、誤って変更することを事前に防止できる。
【００７４】
面付け処理部５０は、ステップＳ１及びＳ２で作成された面付けデータのうち、配置変更部６０による配置位置に関する情報を更新する。その後、ステップＳ４に戻って、以下、ステップＳ４〜Ｓ７を順次繰り返す。位置調整が必要ないと判別された場合（ステップＳ４：ＮＯ）、次のステップ（Ｓ８）に進む。
【００７５】
ステップＳ８において、ラスタライズ処理部５４は、ＩＣＣプロファイルを含む各種処理条件に基づいて、ページ記述データに対してラスタライズ処理を実行することで、印刷に供される印刷用データを得る。処理の実行の際、ラスタライズ処理部５４は、ステップＳ７で最後に更新された面付けデータを参照しながら各コンテンツ画像を配置する。
【００７６】
ステップＳ９において、校正・印刷工程を実行する。ＲＩＰ装置２０は、ステップＳ８で作成された印刷用データを校正機２４（又はプレートセッタ２８）側に供給する。これにより、校正機２４（又はオフセット印刷機３２）は、プルーフ２２（又は印刷物３０）を形成可能である。
【００７７】
以上のように、出力媒体３５の両面のうち第１面８０上に配置された第１コンテンツ画像群Ｃｇ１に、第２面９０上に配置された第２コンテンツ画像群Ｃｇ２を透かした状態で重ねて可視化する透かし画像１１０を作成する透かし画像作成部６４と、表示された透かし画像１１０上の位置又はマークを、ユーザ・インターフェースを介して指定することで、第１コンテンツ画像群Ｃｇ１及び第２コンテンツ画像群Ｃｇ２のうちいずれか一方の移動を指示する画像移動指示部６６とを設けたので、作業者は、透かし画像１１０上での各コンテンツ画像の相対的な位置関係を視認しながら、第１コンテンツ画像群Ｃｇ１及び第２コンテンツ画像群Ｃｇ２の移動を指示できる。これにより、出力媒体３５の両面にそれぞれ面付けされたコンテンツ画像の配置位置を簡便に調整できる。
【００７８】
なお、この発明は、上述した実施形態に限定されるものではなく、この発明の主旨を逸脱しない範囲で自由に変更できることは勿論である。
【００７９】
例えば、本実施の形態では、移動量算出部５８により算出された相対移動量から面付けデータを更新しているが（ステップＳ７）、別の処理形態を採ってもよい。具体的には、この相対移動量をメモリ４８に別途記憶させておき、ラスタライズ処理（ステップＳ８）の際にメモリ４８から相対移動量を併せて読み出し、コンテンツ画像の配置を変更してもよい。当該形態によっても、本実施の形態と同様の処理結果が得られる。
【符号の説明】
【００８０】
１０…印刷物生産システム                  ２０…ＲＩＰ装置
２２…プルーフ                            ２４…校正機
３０…印刷物                              ３２…オフセット印刷機
３５…出力媒体                            ３６…制御部
４２…表示部                              ４８…メモリ
５６…画像配置部                          ５８…移動量算出部
６０…配置変更部                          ６４…透かし画像作成部
６６…画像移動指示部                      ６８…表示形態指示部
８０…第１面                              ８２、９２…版面
８４ａ〜８４ｄ、９４ａ〜９４ｄ…角トンボ
８６ａ〜８６ｄ、９６ａ〜９６ｄ…折りマーク
９０…第２面                              １００…設定画面
１０２…表示設定欄                        １０４…画像表示欄
１０６…ボタン群                          １１０…透かし画像
１１１…非透過画像領域                    １１２（ｅ、ｓ）…透過画像領域
１３１…非透過角トンボ                    １３２…透過角トンボ
Ｃｇ１…第１コンテンツ画像群              Ｃｇ２…第２コンテンツ画像群
【図１】
0005656911.tif 000002
【図２】
0005656911.tif 000003
【図３】
0005656911.tif 000004
【図４】
0005656911.tif 000005
【図５】
0005656911.tif 000006
【図６】
0005656911.tif 000007
【図７】
0005656911.tif 000008
【図８】
0005656911.tif 000009